【手続補正書】
【提出日】平成27年12月3日(2015.12.3)
【手続補正１】
【補正対象書類名】特許請求の範囲
【補正対象項目名】全文
【補正方法】変更
【補正の内容】
【特許請求の範囲】
【請求項１】
コンテンツ選択を受信するステップ、
前記コンテンツに割り当てられた権利の選択を受信するステップ、
一又は複数のタグの選択を受信するステップ、
前記コンテンツを割り当てられた前記権利及び前記タグと関連付けて、前記コンテンツのセキュリティ整備されランク調整された検索結果を可能にするステップ、
前記コンテンツを走査し、前記走査されたコンテンツに対して、また基づいて、前記コンテンツを識別する第1のコンテンツ関連識別子を生成するステップ、
前記第1のコンテンツ関連識別子を他のコンテンツ関連識別子と比較するステップであって、前記他のコンテンツ関連識別子は、以前に発行されたコンテンツの前記対応した部分を識別し、該比較は、前記第1のコンテンツ関連識別子が実質的に他のコンテンツ関連識別部の一つと同じであるかどうかどうかを決定し、前記コンテンツが以前に発行されていないことを決定する、比較するステップ、及び
前記第１のコンテンツ関連識別子が実質的に同じであると決定されたときは、
ユーザーに通知し、
前記第１のコンテンツ関連識別子が実質的に同じでないと決定されたときは、
前記選択されたコンテンツをグループ化する、ステップを有する、方法。
【請求項２】
前記タグは、前記コンテンツが対象とされる規制、供給者タグ、制御タグ、又は個人のタグのうちの一又は複数に関連付けられる、請求項１に記載の方法。
【請求項３】
前記割り当てられた権利は、前記コンテンツにアクセス可能とされるコンテンツ所有者、個人又は団体のうちの少なくとも一を含む、請求項１に記載の方法。
【請求項４】
前記コンテンツを、前記割り当てられた権利及び前記タグに関連付けるステップは、前記コンテンツのコンテキストにウエイトを置いた検索結果を可能にする、請求項１に記載の方法。
【請求項５】
前記コンテンツを発行するステップをさらに含む、請求項１に記載の方法。
【請求項６】
前記コンテンツにアクセス可能とされるコンテンツ所有者、個人、又は団体の一又は複数の精度の確認を受信した後に、前記コンテンツが発行されるとする、請求項３に記載の方法。
【請求項７】
前記コンテンツにアクセス可能とされる前記団体は、エンティティのアメリカ人従業員、該エンティティの非アメリカ人従業員、該エンティティの非従業員、又は限定された配布リストから選択された個人のうちの一又は複数を含む、請求項３に記載の方法。
【請求項８】
少なくとも前記コンテンツ所有者又はコンテンツ発行者が前記コンテンツを修正することを可能にするステップをさらに含む、請求項３に記載の方法。
【請求項９】
前記コンテンツ所有者、コンテンツ修正者、又はコンテンツ発行者のうちの一又は複数に基づき、コンテンツに索引をつけるステップをさらに含む、請求項３に記載の方法。
【請求項１０】
前記規制は、一又は複数の輸出規制を含む、請求項２に記載の方法。
【請求項１１】
グループ化は、前記コンテンツ関連識別子及び１又は複数の他のコンテンツ関連識別子を前記選択されたコンテンツ及び前記他のコンテンツと関連付けることにより、前記コンテンツを前記他のコンテンツとグループ化するステップを含む、請求項１に記載の方法。
【請求項１２】
前記コンテンツが対象とされる規制に基づき、個人又は団体による前記コンテンツへのアクセスを実質的に阻止するステップをさらに含む、請求項２に記載の方法。
【請求項１３】
コンテンツの選択、前記コンテンツに割り当てられた権利の選択、及び一又は複数のタグを受信するアクセス装置であって、前記割り当てられた権利は、前記コンテンツにアクセス可能とされるコンテンツ所有者、個人又は団体のうちの少なくとも１つを含み、前記タグは、前記コンテンツが対象とされる規制、供給者タグ、制御タグ、又は個人のタグのうちの一又は複数に関連付けられる、アクセス装置、及び
前記コンテンツを、前記割り当てられた権利及び一又は複数のタグに関連付けて、前記コンテンツのセキュリティ整備されランク調整された検索結果を可能にするプロセッサを備え、
前記プロセッサは、
前記コンテンツを識別する、コンテンツ関連識別子を決定し、
前記コンテンツ関連識別子を他のコンテンツ関連識別子と比較して、重複発行を防止するため、該識別子が以前に発行されたかどうかを決定し、前記他のコンテンツ関連識別子が以前に発行されたコンテンツの対応した部分を識別し、
該プロセッサはさらに、
前記第１のコンテンツ関連識別子が実質的に同じであると決定されたときは、
ユーザーに通知し、
前記第１のコンテンツ識別子が実質的に同じでないと決定されたときは、
前記選択されたコンテンツをグループ化する、ように構成された、装置。
【手続補正２】
【補正対象書類名】明細書
【補正対象項目名】００５０
【補正方法】変更
【補正の内容】
【００５０】
さらに、いくつかの実施例の方法、装置及び製品がここで説明されてきたが、本特許の及ぶ範囲はこれに限定されない。そうではなく、本特許は、文字通り又は同等物の教義のもと、添付の請求の範囲に適正に含まれるすべての方法、装置及び製品の範囲に及ぶ。
また、本願は以下に記載する態様を含む。
（態様１）
コンテンツ選択を受信するステップ、
コンテンツに割り当てられた権利の選択を受信するステップ、
一又は複数のタグの選択を受信するステップ、及び
コンテンツを割り当てられた権利及びタグと関連付けて、コンテンツのセキュリティ整備されランク調整された検索結果を可能にするステップを含む、方法。
（態様２）
タグは、コンテンツが対象とされる規制、供給者タグ、制御タグ、又は個人のタグのうちの一又は複数に関連付けられる、態様１に記載の方法。
（態様３）
割り当てられた権利は、コンテンツにアクセス可能とされるコンテンツ所有者、個人又は団体のうちの少なくとも一を含む、態様１に記載の方法。
（態様４）
コンテンツを割り当てられた権利及びタグに関連付けるステップは、コンテンツのコンテキストにウエイトを置いた検索結果を可能にする、態様１に記載の方法。
（態様５）
コンテンツをスキャニングするステップ、及び第一コンテンツ関連識別子を生成するステップをさらに含む、態様１に記載の方法。
（態様６）
コンテンツが以前に発行されたことがあるかを判定すべく、第一のコンテンツ関連識別子が他のコンテンツ関連識別子の一と実質的に同一であるかを判定するために、第一のコンテンツ関連識別子を他のコンテンツ関連識別子と比較するステップをさらに含む、態様５に記載の方法。
（態様７）
コンテンツを発行するステップをさらに含む、態様１に記載の方法。
（態様８）
コンテンツにアクセス可能とされるコンテンツ所有者、個人、又は団体の一又は複数の精度の確認を受信した後に、コンテンツが発行されるとする、態様３に記載の方法。
（態様９）
コンテンツにアクセス可能とされる団体は、エンティティのアメリカ人従業員、エンティティの非アメリカ人従業員、エンティティの非従業員、又は限定された分配リストから選択された個人のうちの一又は複数を含む、態様３に記載の方法。
（態様１０）
少なくともコンテンツ所有者又はコンテンツ発行者がコンテンツを修正することを可能にするステップをさらに含む、態様３に記載の方法。
（態様１１）
コンテンツ所有者、コンテンツ修正者、又はコンテンツ発行者のうちの一又は複数に基づき、コンテンツに索引をつけるステップをさらに含む、態様３に記載の方法。
（態様１２）
規制は、一又は複数の輸出規制を含む、態様２に記載の方法。
（態様１３）
一又は複数の識別子を選択されたコンテンツ及び他のコンテンツと関連付けることにより、コンテンツを他のコンテンツとグループ化するステップをさらに含む、態様１に記載の方法。
（態様１４）
コンテンツが対象とされる規制に基づき、個人又は団体によるコンテンツへのアクセスを実質的に阻止するステップをさらに含む、態様２に記載の方法。
（態様１５）
コンテンツの選択、コンテンツに割り当てられた権利の選択、及び一又は複数のタグを受信するアクセス装置であって、割り当てられた権利は、コンテンツにアクセス可能とされるコンテンツ所有者、個人又は団体のうちの少なくとも一、コンテンツが対象とされる一又は複数の規制に関連付けられたタグ、供給者タグ、制御タグ、又は個人のタグを含むことを特徴とするアクセス装置、及び
コンテンツを割り当てられた権利及び一又は複数のタグに関連付けて、コンテンツのセキュリティ整備されランク調整された検索結果を可能にするプロセッサを備える、装置。